(57)【要約】【解決すべき課題】合成樹脂発泡体のような高い断熱性能を有する断熱芯材を中心部に封入してなる高断熱タイプの浴槽蓋において、使用時に蓋の内外温度差が顕著になったとしても、蓋本体に反りが発生せず、安定して浴槽上面に被せることができるようになした浴槽蓋を提供する。【課題を解決するための手段】パネル状となした断熱芯材３の表裏両面に化粧板４，４を貼設すると共に、外周縁全体にエッジプロテクター２を嵌着してなる浴槽蓋において、前記断熱芯材３と化粧板４，４との当接面に、線膨張係数の小さいガラス繊維又はカーボン繊維を粗い目のネット状に形成した反り防止部材５，５を介在させた。【選択図】図２
2006175112.tif 000002
【特許請求の範囲】
【請求項１】
パネル状となした断熱芯材の表裏両面に化粧板を貼設すると共に、外周縁全体にエッジプロテクターを嵌着してなる浴槽蓋において、前記断熱芯材と化粧板との当接面に反り防止部材を介在させたことを特徴とする浴槽蓋。
【請求項２】
断熱芯材が、合成樹脂発泡体からなる請求項１に記載の浴槽蓋。
【請求項３】
断熱芯材の内部に真空断熱材を封入してある請求項１又は請求項２に記載の浴槽蓋。
【請求項４】
反り防止部材が、線膨張係数の低いガラス繊維又はカーボン繊維をネット状に形成したものである請求項１乃至請求項３に記載の浴槽蓋。
【発明の詳細な説明】
【技術分野】
【０００１】
本発明は保温のため浴槽の上面に被せる浴槽蓋に関する。
【背景技術】
【０００２】
浴槽内の湯の保温性を高めるには、蓋の設置が不可欠であり、蓋の断熱性能が保温特性に大きな影響を与えることは既に知られている。
【０００３】
２枚一組、あるいは３枚一組というように複数枚の薄板状パネルを組み合わせて使用する組合せ式等の浴槽蓋においては、従来、内部を中空にして熱伝導を防ぐようにしたり、あるいは次に示す特許文献に記載されているように、合成樹脂発泡体からなる断熱芯材の表裏両面に、硬質のポリプロピレン樹脂等によって作成された化粧パネルを積層一体化させて蓋本体を形成し、当該蓋本体の周縁部に滑り止め効果を有するエラストマー製のエッジプロテクターを嵌め付けて構成したものが市販されている。
【特許文献１】特開平１１−３２９３０公報
【発明の開示】
【発明が解決しようとする課題】
【０００４】
このように、浴槽蓋における断熱性能の向上に伴い、浴槽にセットした場合、湯温が作用する湯面側と外気側との温度差がきわめて大きくなり、その結果、組合せ蓋等を構成する各蓋板に反りが生じて、浴槽上面との間に隙間が生じ、放熱の原因になるという問題点がある。
【０００５】
特に、ガラス短繊維等の芯材を、ガス遮断特性を有するラミネートフィルム等によって被包し、且つ内部を真空に近い状態まで減圧封止して構成した真空断熱材を合成樹脂発泡体内に封入して高断熱タイプの浴槽蓋とした場合、施蓋状態における内外の温度差がより一層顕著となり、蓋本体の湯温が作用する側が反対側より大きく熱膨張し、その結果蓋全体が反り返って使用に耐えなくなるという問題点がある。
【０００６】
したがって、本発明の目的は、断熱性能の向上に伴い組合せ蓋を構成する蓋本体の施蓋状態における内外の温度差が大きくなって遂には反りが発生するのを有効に防止し、長期に亘り安定して浴槽上面に被せることができるようになした浴槽蓋を提供することにある。
【課題を解決するための手段】
【０００７】
上記目的を達成するための本発明の構成を詳述すれば、請求項１に係る発明は、パネル状となした断熱芯材の表裏両面に化粧板を貼設すると共に、外周縁全体にエッジプロテクターを嵌着してなる浴槽蓋において、前記断熱芯材と化粧板との当接面に反り防止部材を介在させたことを特徴とする浴槽蓋である。
【０００８】
また、請求項２に係る発明は、断熱芯材が、合成樹脂発泡体からなる請求項１に記載の浴槽蓋である。
【０００９】
請求項３に係る発明は、断熱芯材の内部に真空断熱材を封入してある請求項１又は請求項２に記載の浴槽蓋である。
【００１０】
さらに、請求項４に係る発明は、反り防止部材が、線膨張係数の低いガラス繊維又はカーボン繊維をネット状に形成したものである請求項１乃至請求項３に記載の浴槽蓋である。
【発明の効果】
【００１１】
本発明によれば、断熱性に優れた合成樹脂発泡体等からなるパネル状断熱芯材を具備した浴槽蓋や、あるいは真空断熱材のような断熱コア材を内部に封入してなる高断熱タイプの浴槽蓋であっても、断熱芯材と化粧板との当接面に低線膨張係数のガラス繊維又はカーボン繊維を粗い目のネット状に形成した反り防止部材を介在させてあるので、蓋の内外温度差が顕著になったとしても、蓋本体に反りが発生するのを有効に防ぐことができ、長期に亘り安定して蓋本体が有する高断熱効果を得ることができる。
【発明を実施するための最良の形態】
【００１２】
以下、図面に基づき本発明に係る浴槽蓋の実施形態を詳細に説明する。
【００１３】
図１は本発明浴槽蓋の一実施形態を示す斜視図、図２はエッジプロテクターを除いた蓋本体部分の一実施形態を示す分解状態斜視図、図３はエッジプロテクターを除いた蓋本体部分の他の実施形態を示す分解状態斜視図、図４は本発明浴槽蓋の一実施形態を示す部分拡大断面図、図５は本発明浴槽蓋の他の実施形態を示す部分拡大断面図である。
【００１４】
図中１は組合せ蓋等をなす浴槽蓋本体を示し、２はその外周部に嵌め付けた滑り止め効果を有するエラストマー製のエッジプロテクターである。
【００１５】
３は浴槽蓋本体１を構成する合成樹脂発泡体等からなるパネル状となした断熱芯材であり、４は当該断熱芯材３の表裏両面に接着等の手段で貼設する硬質のポリプロピレン樹脂等によって作成された美麗な表面を有する化粧板である。
【００１６】
図２および図４に示す実施形態は、このような合成樹脂発泡体等を断熱芯材３となし、その表裏両面に化粧板４，４を貼設するに当たり、当該断熱芯材３と化粧板４，４との当接面に反り防止部材５，５を介在させたものである。
【００１７】
断熱芯材３は所要の厚みを有するパネルを複数枚積層させて所期する厚さの断熱層としたものとしてもよいし、あるいは比較的厚手のパネル状合成樹脂発泡体をそのまま断熱芯材３として使用するようにしてもよいのは勿論である。
【００１８】
反り防止部材５，５としては、線膨張係数の低いガラス繊維又はカーボン繊維を粗い目のネット状に形成したものが好適に用いられる。
【００１９】
この反り防止部材５は断熱芯材３の表裏両面に化粧板４，４を接着する際に同時に配置することができ、粗い目のネット状をなしているものであるから、断熱芯材３と化粧板４，４の接着阻害要因にもならず、しかも独立した加工プロセスが特に付加されるわけではないので製造工程上も問題となるようなことはない。
【００２０】
次に、図３および図５に示す実施形態の浴槽蓋は、断熱芯材の内部に真空断熱材６を封入して、さらに優れた断熱特性を発現させるようになしたものである。
【００２１】
すなわち、この実施形態においては断熱芯材を３層構造となし、中間に位置する断熱芯材３Ａの中央部を切り欠き、当該切欠部内に真空断熱材６を嵌め込むと共に、その上下両面に合成樹脂発泡体等からなるパネル状の断熱芯材３Ｂ，３Ｂを積層一体化させ、当該断熱芯材３Ｂ，３Ｂと化粧板４，４との当接面に反り防止部材５，５を介在させたものである。
【００２２】
この実施形態に係る浴槽蓋の場合には、断熱芯材の内部に封入した真空断熱材６によってきわめて高い断熱効果を得ることができると共に、断熱芯材３Ｂ，３Ｂと化粧板４，４との間に配設される粗い目のネット状の反り防止部材５，５の低線膨張作用により浴槽蓋本体１の反りを有効に防止することができる。
【００２３】
このように、本発明は断熱性能の優れた合成樹脂発泡体等からなる断熱芯材と浴槽蓋の外面を表装する化粧板との間に線膨張係数の小さいガラス繊維又はカーボン繊維をネット状に形成した反り防止部材を配設一体化したものであるから、高い断熱効果を得ることができると共に、浴槽蓋本体の反りを防ぐことができ、長期に亘って安定して浴槽の上面を覆うことができる。
【図面の簡単な説明】
【００２４】
【図１】本発明浴槽蓋の一実施形態を示す斜視図である。
【図２】エッジプロテクターを除いた蓋本体部分の一実施形態を示す分解状態斜視図である。
【図３】エッジプロテクターを除いた蓋本体部分の他の実施形態を示す分解状態斜視図である。
【図４】本発明浴槽蓋の一実施形態を示す部分拡大断面図である。
【図５】本発明浴槽蓋の他の実施形態を示す部分拡大断面図である。
【符号の説明】
【００２５】
１：浴槽蓋本体
２：エッジプロテクター
３：断熱芯材
４：化粧板
５：反り防止部材
６：真空断熱材
【図１】
2006175112.tif 000003
【図２】
2006175112.tif 000004
【図３】
2006175112.tif 000005
【図４】
2006175112.tif 000006
【図５】
2006175112.tif 000007
【手続補正書】
【提出日】平成17年12月13日(2005.12.13)
【手続補正１】
【補正対象書類名】特許請求の範囲
【補正対象項目名】請求項１
【補正方法】変更
【補正の内容】
【請求項１】
パネル状となした断熱芯材の表裏両面に化粧板を貼設してなる断熱性能に優れた浴槽蓋において、前記断熱芯材と化粧板との当接面に反り防止部材を介在させたことを特徴とする浴槽蓋。
【手続補正２】
【補正対象書類名】明細書
【補正対象項目名】０００７
【補正方法】変更
【補正の内容】
【０００７】
上記目的を達成するための本発明の構成を詳述すれば、請求項１に係る発明は、パネル状となした断熱芯材の表裏両面に化粧板を貼設してなる断熱性能に優れた浴槽蓋において、前記断熱芯材と化粧板との当接面に反り防止部材を介在させたことを特徴とする浴槽蓋である。